(57)【要約】【課題】鉄筋とＰＣケーブル保護シースとを一挙同時に支持できる便利な兼用スペーサーを提供する。【解決手段】金属線材から連続するほぼＭ字型に屈曲形成された鉄筋支持スタンド（Ａ）の両脚柱（１４）を、左右一対のコンクリート接地ブロック（Ｂ）から一体的に垂立させた鉄筋用スペーサーにおいて、両脚柱（１４）の中途高さ位置からＰＣケーブル保護シース（Ｃ）の支持用となる第１、２棚筋受け止め爪（２０）（２２）を、その各個によって受け止められる第１、２棚筋（２１）（２３）同志が互いにほぼ直交又はほぼ平行する関係状態となる方向へ、一体的に張り出した。【選択図】  図１２
2004278076.tif 000002
【特許請求の範囲】
【請求項１】
１本の金属線材から左右一対の脚柱（１４）（１４）とその上端部に橋絡する上筋受け止め用トップバー（１５）とが連続する前・後面視のほぼＭ字型に屈曲形成された鉄筋支持スタンド（Ａ）と、
コンクリートから上記鉄筋支持スタンド（Ａ）の前後方向に沿って延在する一定長さ（Ｌ１）のほぼ倒立カマボコ型に塑造された接地ブロック（Ｂ）（Ｂ）の左右一対とを備え、
両脚柱（１４）（１４）の下端部を抜け止めアンカー（１８）（１８）として、上記接地ブロック（Ｂ）（Ｂ）へ各々植え込み状態に埋設一体化した鉄筋用スペーサーにおいて、
上記鉄筋支持スタンド（Ａ）を形作る両脚柱（１４）（１４）の中途高さ位置からＰＣケーブル保護シース（Ｃ）（Ｃ）の支持用となる第１、２棚筋受け止め爪（２０）（２２）を、その各個によって受け止められる第１、２棚筋（２１）（２３）同志が互いにほぼ直交又はほぼ平行する関係状態となる方向へ、一体的に張り出したことを特徴とする鉄筋とＰＣケーブル保護シースとの兼用スペーサー。
【請求項２】
左右何れか一方の脚柱（１４）から第１棚筋受け止め爪（２０）を前向き又は後向きに張り出し、残る他方の脚柱（１４）から第２棚筋受け止め爪（２２）を横向きに張り出すと共に、
上記第１、２棚筋受け止め爪（２０）（２２）の相互間に、その各個によって受け止められる第１、２棚筋（２１）（２３）同志が干渉しない一定の高低段差（Ｙ１）を与えたことを特徴とする請求項１記載の鉄筋とＰＣケーブル保護シースとの兼用スペーサー。
【請求項３】
第１、２棚筋受け止め爪（２０）（２２）を鉄筋支持スタンド（Ａ）よりも細い金属線材からほぼＬ字型に屈曲形成して、
その鉄筋支持スタンド（Ａ）における左右何れか一方の脚柱（１４）から前向き又は後向きに張り出す第１棚筋受け止め爪（２０）の基端部を、その脚柱（１４）へ横方向から接合一体化すると共に、
同じく鉄筋支持スタンド（Ａ）における他方の脚柱（１４）から横向きに張り出す第２棚筋受け止め爪（２２）の基端部を、その脚柱（１４）へ上記第１棚筋受け止め爪（２０）が張り出す方向と逆な方向から接合一体化したことを特徴とする請求項２記載の鉄筋とＰＣケーブル保護シースとの兼用スペーサー。
【請求項４】
鉄筋支持スタンド（Ａ）の両脚柱（１４）（１４）から第１、２棚筋受け止め爪（２０）（２２）を相互の離反する横向きに張り出すと共に、
上記第１、２棚筋受け止め爪（２０）（２２）の相互間に、その何れか一方の棚筋（２１）によって支持されるＰＣケーブル保護シース（Ｃ）と、残る他方の棚筋（２３）とが干渉しない一定の高低段差（Ｙ１）を与えたことを特徴とする請求項１記載の鉄筋とＰＣケーブル保護シースとの兼用スペーサー。
【請求項５】
鉄筋支持スタンド（Ａ）の両脚柱（１４）（１４）をその接地ブロック（Ｂ）（Ｂ）の前後何れか一方へ偏心した位置から各々垂立させると共に、
その偏心との相対的に広く確保された接地ブロック（Ｂ）（Ｂ）のほぼフラットな上面から露出するように、両脚柱（１４）（１４）の抜け止めアンカー（１８）（１８）を曲げ起し延長することにより、その抜け止めアンカー（１８）（１８）の露出先端部を下筋受け止め爪（２４）（２４）として使用できるように定めたことを特徴とする請求項１記載の鉄筋とＰＣケーブル保護シースとの兼用スペーサー。
【発明の詳細な説明】
【０００１】
【発明の属する技術分野】
本発明はプレストレスコンクリート構造物の補強用鉄筋と、ＰＣケーブル保護シースとの２種に兼用可能なスペーサーに関する。
【０００２】
【従来の技術】
一般に、舗装版やスラブ、橋桁、その他の各種プレストレスコンクリート構造物を、ポストテンション工法やプレテンション工法によって構築する場合、そのコンクリート構造物の成形用型枠内へ補強用鉄筋のみならず、緊張材として使用されるＰＣ鋼線やＰＣ鋼撚線、ＰＣ鋼棒などのＰＣケーブルを挿通する保護シースも、指定された打設コンクリートのかぶり厚さとなる高さ位置へ、その全体的な交錯状態に配設しなければならない。
【０００３】
そのためのＰＣケーブル保護シース用スペーサーとしては、特公平１−１４３９５号と特開平４−３５３１６６号に各々記載された公知技術がある。
【０００４】
【発明が解決しようとする課題】
ところが、先ず特公平１−１４３９５号に記載のシース支持台（１５）は第４図から明白なように、そのシース受け片（１６）も含む全体として、金属線材（鉄筋）からの組立状態に溶接されているため、シース（１８）のコンクリートかぶり厚さが異なる各種サイズの製作準備上、非常に煩らわしく高価となるほか、その使用に当ってもコンクリート構造物（フラットスラブ）（Ｓ）の成形表面から、金属線材の露出することは許されないため、そのシース支持台（１５）を鉄筋（スラブ下端筋）（１４）へ、一々結束線又は溶接によって固着しなければならず、シース（１８）の配設作業を短時間での効率良く軽快に行なうことができない。
【０００５】
次に、特開平４−３５３１６６号に記載のスペーサー（４）は、図４のような直方体のコンクリート成形品として、そのフラットな接地面がコンクリート構造物の成形表面からいたづらに大きく露出することになるため、外観化粧上の違和感や不純物としての印象を与えてしまうおそれがあり、更にその上面の凹溝（９）と左右一対の弾性挟持片（８）へ、シース（１）（１’）を縦横交錯する状態として直かに嵌め込むようになっているため、そのシース（１）（１’）の太さ変化に対応することができず、各種サイズのスペーサー（４）を製作準備するに当っても、いたづらに多くの成形金型を要し、やはりコストアップを招来することになる。
【０００６】
それにもまして、特公平１−１４３９５号の上記シース支持台（１５）と特開平４−３５３１６６号の上記スペーサー（４）は、その何れもシース（１８）（１）（１’）のみを支持する専用のスペーサーであり、鉄筋までも一挙同時に支持できるよう構成されていない結果、特別の鉄筋用スペーサーを製作準備しなければならない。
【０００７】
他方、本発明者は鉄筋用スペーサーとして、先に特許第３２３６８３９号を提案し、その実施事業化により相当の成果を収めているが、これは逆に鉄筋のみを支持する専用のスペーサーであり、ＰＣケーブル保護シースを一挙同時に支持することができない。
【０００８】
蓋し、ＰＣケーブル保護シースは如何なるプレストレスコンクリート構造物の成形に当っても、必らず上筋（２０）と下筋（１４）との上下相互間へ介在する状態に配設しなければならない処、その鉄筋支持スタンド（Ａ）にはシースまでも一挙同時に支持できる構成が具備されていないからである。
【０００９】
要するに、従来では鉄筋用スペーサーとシース用スペーサーとの２種が必要であって、いたづらに品数が増加するばかりでなく、その２種を併用して配設作業しなければならないため、甚だ煩らわしく、作業上の隘路になっている。
【００１０】
【課題を解決するための手段】
本発明はこのような課題の改良を企図しており、そのための構成上１本の金属線材から左右一対の脚柱とその上端部に橋絡する上筋受け止め用トップバーとが連続する前・後面視のほぼＭ字型に屈曲形成された鉄筋支持スタンドと、
【００１１】
コンクリートから上記鉄筋支持スタンドの前後方向に沿って延在する一定長さのほぼ倒立カマボコ型に塑造された接地ブロックの左右一対とを備え、
【００１２】
両脚柱の下端部を抜け止めアンカーとして、上記接地ブロックへ各々植え込み状態に埋設一体化した鉄筋用スペーサーにおいて、
【００１３】
上記鉄筋支持スタンドを形作る両脚柱の中途高さ位置からＰＣケーブル保護シースの支持用となる第１、２棚筋受け止め爪を、その各個によって受け止められる第１、２棚筋同志が互いにほぼ直交又はほぼ平行する関係状態となる方向へ、一体的に張り出したことを特徴とするものである。
【００１４】
【発明の実施の形態】
以下、図面に基いて本発明の具体的構成を詳述すると、先ずその兼用スペーサーの第１実施形態を示した図１〜５において、（Ｂ）（Ｂ）はプレストレスコンクリート構造物の成形用型枠（Ｍ）に対する接地ブロックの左右一対であり、互いにほぼ同じ大きさとして、打設コンクリートの圧縮荷重に耐えるガラス繊維補強コンクリート（ＧＦＲＣ）から、一定な高さ（Ｈ１）（例えば約４５ｍｍ）と幅（Ｗ１）（例えば約５０ｍｍ）並びに長さ（Ｌ１）（例えば約６０ｍｍ）のほぼ倒立カマボコ型に塑造されている。
【００１５】
つまり、各接地ブロック（Ｂ）（Ｂ）は前後方向に沿って一定長さ（Ｌ１）だけ延在し、その平面視の長方形又は正方形をなすほぼフラットな上面が下筋受け面（１０）として、ここへ下筋（１１）を載置させることができるようになっており、図１１〜１３の使用状態に示す如く、上記接地ブロック（Ｂ）（Ｂ）の一定高さ（Ｈ１）がその下筋（１１）における打設コンクリートのかぶり厚さ（Ｔ１）を規定する。
【００１６】
他方、各接地ブロック（Ｂ）（Ｂ）の円弧状をなす下面は接地面（１２）（１２）として、上記コンクリート構造物成形用型枠（Ｍ）の堰板（１３）へ実質上線接触することにより、コンクリート構造物の成形表面からいたづらに大きく露出せず、その外観化粧上の違和感や不純物としての印象を与えないようになっている。
【００１７】
（Ａ）は打設コンクリートの圧縮荷重に耐える１本の丸棒鋼や異形棒鋼、その他の金属線材から、前・後面視の連続的なほぼＭ字型に屈曲形成された鉄筋支持スタンドであり、上記接地ブロック（Ｂ）（Ｂ）の左右一対と対応する一定間隔（Ｄ）（例えば約１７０ｍｍ）を保ってほぼ平行に垂立する脚柱（１４）（１４）の左右一対と、その上端部に橋絡するトップバー（１５）とを備えている。その一定間隔（Ｄ）は上記下筋（１１）の１本又は複数本を跨げる程度の広さである。
【００１８】
しかも、上記Ｍ字型の文字通りに、そのトップバー（１５）の中間部は上筋受け止め面（１６）として、ほぼＶ字型に陥没されており、ここには上記下筋（１１）と別個の上筋（１７）を、その太さ変化に拘らず常時安定良く確固に載置させることができ、接地面から上筋受け止め面（１６）までの一定高さ（Ｈ２）（例えば約２８０ｍｍ）が、図１２、１３の使用状態から明白なように、その上筋（１７）における打設コンクリートのかぶり厚さ（Ｔ２）を規定することになる。
【００１９】
又、各脚柱（１４）（１４）の下端部は上記接地ブロック（Ｂ）（Ｂ）のコンクリートと喰い付く抜け止めアンカー（１８）（１８）として、その接地ブロック（Ｂ）（Ｂ）へ植え込み状態に埋設一体化されている。
【００２０】
その場合、図５では各脚柱（１４）（１４）が接地ブロック（Ｂ）（Ｂ）へ埋没する下端部に、ほぼＶ字型の切欠き（１９）（１９）を付与することにより、その接地ブロック（Ｂ）（Ｂ）からの抜け止めアンカー（１８）（１８）として機能させているが、後述する図７〜１０から明白なように、各脚柱（１４）（１４）の下端部をフック状に折り曲げることにより、その抜け止めアンカー（１８）（１８）としての効果を向上させることが望ましい。
【００２１】
鉄筋支持スタンド（Ａ）の両脚柱（１４）（１４）は、これを平面視の長方形又は正方形な両接地ブロック（Ｂ）（Ｂ）の中心部から垂立させてもさしつかえないが、特にその両接地ブロック（Ｂ）（Ｂ）の前側又は後側（図例の場合）へ偏心した位置から垂立させることが好ましい。
【００２２】
そうすれば、両接地ブロック（Ｂ）（Ｂ）の上面がこれと相対する図示の前側において、広く確保されることになる結果、その上面の広い上記下筋受け面（１０）（１０）へ、可及的に太い下筋（１１）でも安定良く載置させることができるからである。
【００２３】
更に、（２０）は上記鉄筋支持スタンド（Ａ）を形作る両脚柱（１４）（１４）のうち、その何れか一方の中途高さ位置から接地ブロック（Ｂ）（Ｂ）の長手方向（前後方向）に沿う前向き又は後向きとして一体的に張り出された第１棚筋受け止め爪であり、ここへＰＣケーブル保護シース（Ｃ）の支持用となる第１棚筋（２１）を載置させることができるようになっている。
【００２４】
（２２）は同じく両脚柱（１４）（１４）のうち、残る他方の中途高さ位置から上記トップバー（１５）が延在する左右方向に沿う横向きとして、やはり一体的に張り出された第２棚筋受け止め爪であり、ここには上記第１棚筋（２１）と別個なＰＣケーブル保護シース（Ｃ）の支持用となる第２棚筋（２３）を載置させることができるようになっている。
【００２５】
つまり、第１棚筋受け止め爪（２０）によって受け止められる第１棚筋（２１）と、別な第２棚筋受け止め爪（２２）によって受け止められる第２棚筋（２３）とが、図２〜４のような平面視の互いにほぼ直交する関係状態となるように指向されているわけである。しかも、そのほぼ直交する第１、２棚筋（２１）（２３）同志が干渉しないように、上記第１、２棚筋受け止め爪（２０）（２２）の相互間には一定の高低段差（Ｙ１）（例えば約４０ｍｍ）が与えられてもいる。
【００２６】
上記第１、２棚筋受け止め爪（２０）（２２）としては、これらを鉄筋支持スタンド（Ａ）と同質の細い金属線材から、図示のようなほぼＬ字型に屈曲形成して、そのほぼ水平な一辺の基端部を鉄筋支持スタンド（Ａ）の各脚柱（１４）（１４）へ溶接一体化すると共に、ほぼ垂直に起立する他辺の先端部によって、第１、２棚筋（２１）（２３）の脱落を防止することが最適である。
【００２７】
図１〜５の第１実施形態に示す如く、鉄筋支持スタンド（Ａ）から前向き（図例の場合）又は後向きに張り出す第１棚筋受け止め爪（２０）を下段とし、同じく鉄筋支持スタンド（Ａ）から横向きに張り出す第２棚筋受け止め爪（２２）を上段として、その第１、２棚筋（２１）（２３）が平面視のほぼ直交する関係状態となるように配設する場合には、下段の第１棚筋受け止め爪（２０）へ上方から載置させる第１棚筋（２１）が、上段の第２棚筋受け止め爪（２２）と接触しないように、その上段の第２棚筋受け止め爪（２２）を下段の第１棚筋受け止め爪（２０）が張り出す方向と逆な方向（図例では後方）から、鉄筋支持スタンド（Ａ）の脚柱（１４）へ接合一体化することが望ましい。
【００２８】
その際、上段の第２棚筋受け止め爪（２２）に受け止められた第２棚筋（２３）へ載置されるＰＣケーブル保護シース（Ｃ）と、上記トップバー（１５）の上筋受け止め面（１６）に受け止められる上筋（１７）とが干渉しないように、その上筋受け止め面（１６）と第２棚筋受け止め爪（２２）との相互間にも一定の高低段差（Ｙ２）（例えば約４０ｍｍ）が与えられている。
【００２９】
但し、このように上筋（１７）と下筋（１１）との上下相互間へＰＣケーブル保護シース（Ｃ）（Ｃ）を干渉することなく配設できる支持高さである限り、図６の第２実施形態から明白なように、鉄筋支持スタンド（Ａ）から前向き又は後向きに張り出す第１棚筋受け止め爪（２０）を上段とし、同じく鉄筋支持スタンド（Ａ）から横向きに張り出す第２棚筋受け止め爪（２２）を下段として、その相互間に第１、２棚筋（２１）（２３）同志が干渉しない一定の高低段差（Ｙ１）を与えても勿論良い。
【００３０】
又、鉄筋支持スタンド（Ａ）の両脚柱（１４）（１４）を接地ブロック（Ｂ）（Ｂ）における前後何れか一方へ偏した位置から垂立させる場合には、その接地ブロック（Ｂ）（Ｂ）の上面が広く確保される方向（図例では前方）へ、上記第１棚筋受け止め爪（２０）を張り出すことが好ましい。コンクリート構造物成形用型枠（Ｍ）の堰板（１３）に対する鉄筋支持スタンド（Ａ）の据え立て状態が一層安定化し、その前後方向への不慮な転倒事故を防止できるからである。
【００３１】
何れにしても、コンクリート構造物成形用型枠（Ｍ）の堰板（１３）に対する接地面から上記第１棚筋受け止め爪（２０）までの一定高さ（Ｈ３）（例えば約１５０ｍｍ）と、同じく接地面から第２棚筋受け止め爪（２２）までの一定高さ（Ｈ４）（例えば約１９０ｍｍ）が、図１２、１３の使用状態に示す如く、その第１、２棚筋（２１）（２３）における打設コンクリートのかぶり厚さ（Ｔ３）（Ｔ４）を規定することとなり、これらによって支持されるＰＣケーブル保護シース（Ｃ）（Ｃ）のスペーサーとして機能する。
【００３２】
次に、図７〜１０は本発明に係る兼用スペーサーの第３実施形態を示しており、これでは鉄筋支持スタンド（Ａ）を形作る両脚柱（１４）（１４）の中途高さ位置から、第１、２棚筋受け止め爪（２０）（２２）を相互の離反する横向きとして、一体的に張り出している。その第１、２棚筋受け止め爪（２０）（２２）の各個によって受け止められる第１、２棚筋（２１）（２３）同志が、平面視のほぼ平行する関係状態となるように指向されているわけである。
【００３３】
このような第１、２棚筋受け止め爪（２０）（２２）は、接地面からの互いにほぼ同じ一定高さ（Ｈ３）（Ｈ４）として張り出してもさしつかえないが、その相互間に一定の高低段差（Ｙ１）を与えることにより、その下段の第１棚筋受け止め爪（２０）に受け止められた第１棚筋（２１）へ載置されるＰＣケーブル保護シース（Ｃ）と、上段の第２棚筋受け止め爪（２２）に受け止められる第２棚筋（２３）との干渉することを防ぐことが好ましい。
【００３４】
その場合、上段の第２棚筋受け止め爪（２２）に受け止められた第２棚筋（２３）へ載置されるＰＣケーブル保護シース（Ｃ）と、上記トップバー（１５）の上筋受け止め面（１６）に受け止められる上筋（１７）とが干渉しないように、その上筋受け止め面（１６）と第２棚筋受け止め爪（２２）との相互間にも一定の高低段差（Ｙ２）が与えられていることは、上記第１実施形態と同様である。
【００３５】
更に、第１〜３実施形態の何れにあっても、図７〜１０に併せて示す如く、鉄筋支持スタンド（Ａ）における両脚柱（１４）（１４）の抜け止めアンカー（１８）（１８）を、両接地ブロック（Ｂ）（Ｂ）の上面から露出するように曲げ起し延長させることにより、その抜け止めアンカー（１８）（１８）の露出先端部を下筋受け止め爪（２４）（２４）として、その下筋（１１）を転落しない載置状態に受け止めることが望ましい。
【００３６】
尚、第２、３実施形態におけるその他の構成は上記第１実施形態と実質的に同一であるため、その図６〜１０に図１〜５との対応符号を記入するにとどめて、その詳細な説明を省略する。
【００３７】
本発明の上記第１実施形態に基いて、その兼用スペーサーの使用法を説明すると、これを図１１〜１３に示す如く、施工現場において組み立てたプレストレスコンクリート構造物成形用型枠（Ｍ）の堰板（１３）へ、指定間隔おきの点在分布状態に据え立て接地させる。
【００３８】
そして、先ず各兼用スペーサーにおける接地ブロック（Ｂ）（Ｂ）の下筋受け面（１０）（１０）へ、上方から例えば横下筋（１１ｘ）を載置させると共に、その横下筋（１１ｘ）とほぼ直交する縦下筋（１１ｙ）を、鉄筋支持スタンド（Ａ）の内部へ通し込んで、上記横下筋（１１ｘ）の上面へ載置させる。
【００３９】
次に、上記鉄筋支持スタンド（Ａ）を形作る両脚柱（１４）（１４）のうち、その中途高さ位置から前向き又は後向きに張り出す下段の第１棚筋受け止め爪（２０）へ、上記横下筋（１１ｘ）とほぼ平行な第１棚筋（２１）を上方から載置させると共に、その第１棚筋（２１）の上面へＰＣケーブル保護シース（Ｃ）をほぼ直交状態に載置させるのである。
【００４０】
又、同じく両脚柱（１４）（１４）のうち、その中途高さ位置から横向きに張り出す上段の第２棚筋受け止め爪（２２）へ、上記縦下筋（１１ｙ）とほぼ平行な第２棚筋（２３）を上方から載置させると共に、その第２棚筋（２３）の上面へやはりＰＣケーブル保護シース（Ｃ）をほぼ直交状態に載置させる。
【００４１】
更に、鉄筋支持スタンド（Ａ）におけるトップバー（１５）の上筋受け止め面（１６）へ、上記縦下筋（１１ｙ）のほぼ真上位置に平行することとなる縦上筋（１７ｙ）を載置させると共に、その縦上筋（１７ｙ）の上面へ横上筋（１７ｘ）をほぼ直交する状態に載置させるのである。
【００４２】
尚、このような横下筋（１１ｘ）と縦下筋（１１ｙ）との交叉部や横上筋（１７ｘ）と縦上筋（１７ｙ）との交叉部、第１、２棚筋（２１）（２３）とＰＣケーブル保護シース（Ｃ）（Ｃ）との交叉部はすべて、又は適当な間隔ピッチおきに結束されるが、その結束線は図示省略してある。上記第１、２棚筋（２１）（２３）はその対応する第１、２棚筋受け止め爪（２０）（２２）へ、図外の結束線によって結束することが望ましい。
【００４３】
何れにしても、このようにコンクリート構造物の補強用鉄筋（１１）（１７）と、ＰＣケーブル保護シース（Ｃ）（Ｃ）とが交錯状態に配設された上記成形用型枠（Ｍ）の内部へ、その後コンクリートを打設すれば、その下筋（１１）と上筋（１７）における打設コンクリートのかぶり厚さ（Ｔ１）（Ｔ２）のみならず、上記ＰＣケーブル保護シース（Ｃ）（Ｃ）を支持する第１、２棚筋（２１）（２３）のコンクリートかぶり厚さ（Ｔ３）（Ｔ４）も、指定通りに正しく確保されることとなる。
【００４４】
その場合、ほぼ倒立カマボコ型に造形された接地ブロック（Ｂ）（Ｂ）の左右一対から、金属線材の鉄筋支持スタンド（Ａ）が前・後面視のほぼＭ字型に垂立するとしても、その接地ブロック（Ｂ）（Ｂ）は鉄筋支持スタンド（Ａ）のトップバー（１５）とほぼ直交する前後方向に沿って一定長さ（Ｌ１）だけ延在しており、しかも鉄筋支持スタンド（Ａ）の両脚柱（１４）（１４）に第１、２棚筋（２１）（２３）の受け止め爪（２０）（２２）が付属一体化されているため、据え立て接地状態の安定性に優れ、前後と左右の何れに向かっても不慮に転倒するおそれがない。
【００４５】
更に、上記第１、２棚筋（２１）（２３）はその対応する第１、２棚筋受け止め爪（２０）（２２）へ上方から載置され、これによって受け止められた第１、２棚筋（２１）（２３）の上面へ、ＰＣケーブル保護シース（Ｃ）（Ｃ）が載置されるようになっているため、そのシース（Ｃ）（Ｃ）として直管やスパイラル管などの各種形態を制約なく使用することができ、シース（Ｃ）（Ｃ）の太さ変化にも支障なく対応し得るのであり、汎用性に優れる。
【００４６】
【発明の効果】
以上のように、本発明では１本の金属線材から左右一対の脚柱（１４）（１４）とその上端部に橋絡する上筋受け止め用トップバー（１５）とが連続する前・後面視のほぼＭ字型に屈曲形成された鉄筋支持スタンド（Ａ）と、
【００４７】
コンクリートから上記鉄筋支持スタンド（Ａ）の前後方向に沿って延在する一定長さ（Ｌ１）のほぼ倒立カマボコ型に塑造された接地ブロック（Ｂ）（Ｂ）の左右一対とを備え、
【００４８】
両脚柱（１４）（１４）の下端部を抜け止めアンカー（１８）（１８）として、上記接地ブロック（Ｂ）（Ｂ）へ各々植え込み状態に埋設一体化した鉄筋用スペーサーにおいて、
【００４９】
上記鉄筋支持スタンド（Ａ）を形作る両脚柱（１４）（１４）の中途高さ位置からＰＣケーブル保護シース（Ｃ）（Ｃ）の支持用となる第１、２棚筋受け止め爪（２０）（２２）を、その各個によって受け止められる第１、２棚筋（２１）（２３）同志が互いにほぼ直交又はほぼ平行する関係状態となる方向へ、一体的に張り出してあるため、冒頭に述べた従来技術の課題を悉く改良できる効果がある。
【００５０】
即ち、本発明の上記構成によれば、鉄筋支持スタンド（Ａ）のトップバー（１５）へ上筋（１７）と、左右一対の接地ブロック（Ｂ）（Ｂ）へ下筋（１１）とを載置させることができるほか、その鉄筋支持スタンド（Ａ）における両脚柱（１４）（１４）の中途高さ位置から一体的に張り出す第１、２棚筋受け止め爪（２０）（２２）へ、ほぼ直交又はほぼ平行する関係状態に受け止められる第１、２棚筋（２１）（２３）を介して、ＰＣケーブル保護シース（Ｃ）（Ｃ）も載置させることができるため、従来のような鉄筋用スペーサーとシース用スペーサーとの２種を、各別に製作準備する必要がなく、その品数が半減することになる結果、本発明の兼用スペーサーを使って、鉄筋（１１）（１７）とＰＣケーブル保護シース（Ｃ）（Ｃ）の配設作業を短時間での極めて効率良く軽快に行なえるのである。
【００５１】
特に、請求項２や請求項３の構成を採用するならば、上筋（１７）と下筋（１１）のみならず、ＰＣケーブル保護シース（Ｃ）（Ｃ）も縦横にほぼ直交する状態として、互いに干渉するおそれなく配設することができ、その作業性がますます向上する。
【００５２】
又、請求項４の構成を採用するならば、ＰＣケーブル保護シース（Ｃ）（Ｃ）をほぼ平行する状態として、やはり支障なく配設作業することもでき、著しく便利である。
【００５３】
更に、請求項５の構成を採用するならば、両接地ブロック（Ｂ）（Ｂ）に対する両脚柱（１４）（１４）の抜け止めアンカー（１８）（１８）を活用して、その両接地ブロック（Ｂ）（Ｂ）の上面から露出する下筋受け止め爪（２４）（２４）により、下筋（１１）を転落するおそれなく、安定・確固に受け止め配筋できる効果がある。
【図面の簡単な説明】
【図１】本発明に係る兼用スペーサーの第１実施形態を示す斜面図である。
【図２】図１の正面図である。
【図３】図２の側面図である。
【図４】図２の平面図である。
【図５】図２の５−５線断面図である。
【図６】本発明に係る兼用スペーサーの第２実施形態を示す斜面図である。
【図７】本発明に係る兼用スペーサーの第３実施形態を示す斜面図である。
【図８】図７の正面図である。
【図９】図８の平面図である。
【図１０】図８の１０−１０線断面図である。
【図１１】本発明に係る第１実施形態の使用状態を示す斜面図である。
【図１２】同じく使用状態を示す正面図である。
【図１３】図１２の側面図である。
【符号の説明】
（１０）・下筋受け面
（１１）・下筋
（１２）・接地面
（１３）・堰板
（１４）・脚柱
（１５）・トップバー
（１６）・上筋受け止め面
（１７）・上筋
（１８）・抜け止めアンカー
（１９）・切欠き
（２０）・第１棚筋受け止め爪
（２１）・第１棚筋
（２２）・第２棚筋受け止め爪
（２３）・第２棚筋
（２４）・下筋受け止め爪
（Ａ）・鉄筋支持スタンド
（Ｂ）・接地ブロック
（Ｃ）・ＰＣケーブル保護シース
（Ｍ）・コンクリート構造物の成形用型枠
（Ｙ１）（Ｙ２）・高低段差
（Ｔ１）（Ｔ２）（Ｔ３）（Ｔ４）・打設コンクリートのかぶり厚さ
【図１】
2004278076.tif 000003
【図２】
2004278076.tif 000004
【図３】
2004278076.tif 000005
【図４】
2004278076.tif 000006
【図５】
2004278076.tif 000007
【図６】
2004278076.tif 000008
【図７】
2004278076.tif 000009
【図８】
2004278076.tif 000010
【図９】
2004278076.tif 000011
【図１０】
2004278076.tif 000012
【図１１】
2004278076.tif 000013
【図１２】
2004278076.tif 000014
【図１３】
2004278076.tif 000015